(57)【特許請求の範囲】
【請求項１】
回動自在に設置されたドアと、
このドアを貫通し、荷物を入れる貫通孔と、  
前記ドアに回動自在に接続され、前記貫通孔を開閉する外側蓋体と、
前記外側蓋体の開閉を行う施錠手段と、
前記貫通孔内に収納され、前記貫通孔の前記ドアの内側に連通し、前記荷物を受 
け入れる袋体と、
前記ドアの内側に位置すると共に、前記ドアに回動自在に接続され、前記貫通孔 
を開閉する内側蓋体とを備え、
前記袋体は、折曲自在であり、
前記施錠手段で施錠を解除して前記外側蓋体を開け、荷物を前記袋体内へ入れる 
と、前記荷物が前記袋体を介して前記内側蓋体に接触して前記内側蓋体を回動させ 
ると共に、前記荷物が前記袋体内へ収納され、その後、前記外側蓋体を締めて、施 
錠することができ、
前記内側蓋体は、水平方向に上内側蓋体と下内側蓋体と二分割されている
ことを特徴とする荷物受入装置。
【請求項２】
施錠手段で施錠を解除して外側蓋体を開け、荷物を袋体内へ入れると、前記荷物が前
記袋体を介して前記内側蓋体に接触して前記内側蓋体を回動させると共に、前記荷物が前
記袋体内へ収納された場合、
前記荷物を介して、前記袋体が上内側蓋体の自由端である先端及び下内側蓋体の自由
端である先端より飛び出している
ことを特徴とする請求項１記載の荷物受入装置。
【請求項３】
回動自在に設置されたドアと、
このドアを貫通し、荷物を入れる貫通孔と、  
前記ドアに回動自在に接続され、前記貫通孔を開閉する外側蓋体と、
前記外側蓋体の開閉を行う施錠手段と、
前記貫通孔内に収納され、前記貫通孔の前記ドアの内側に連通し、前記荷物を受      け入れる折曲自在な袋体と、
前記ドアの内側に位置すると共に、前記ドアに回動自在に接続され、前記貫通孔      を開閉する水平方向に上内側蓋体と下内側蓋体と二分割された内側蓋体とを備えた荷物受入装置であって、
前記施錠手段で施錠を解除して前記外側蓋体を開け、前記荷物を前記袋体内へ入れると、前記荷物が前記袋体を介して前記上内側蓋体と前記下内側蓋体に接触して前記上内側蓋体と前記下内側蓋体を回動させると共に、前記荷物が前記袋体内へ収納され、その後、前記外側蓋体を締めて、施錠することができ、
その後、前記ドアを回動して、前記ドアを開ける
ことを特徴とする荷物受入装置付きのドアの開放方法。
【発明の詳細な説明】
【技術分野】
【０００１】
本発明は、荷物受入装置及び荷物受入装置付きのドアの開放方法に係り、特に、使用
勝手を向上させた荷物受入装置及び荷物受入装置付きのドアの開放方法に関する。
【背景技術】
【０００２】
従来、不在時であっても送られて来た荷物を安全に保管できる荷物保管機能付きの出
入口開閉戸がある（例えば、特許文献参照）。
【先行技術文献】
【特許文献】
【０００３】
【特許文献１】特開平10-276893号公報
【発明の概要】
【発明が解決しようとする課題】
【０００４】
ところが、上記荷物保管機能付きの出入口開閉戸にあっては、荷物（Ｃ）を閉鎖カバ
ー部材（５０）内に入れると、閉鎖カバー部材（５０）が室内側に突出するように伸びる
ため、出入口開閉戸がドアの場合、荷物（Ｃ）が閉鎖カバー部材（５０）内に入った状態
で、留守から帰った人が、ドアを開けようとすると、ドアがドアの出入り口に当たり、ま
た、ドアがドアの出入り口に当たらなくても、ドアの出入り口の通路を狭め、ドアの出入
り口の通行を妨げるという問題点があった。
【０００５】
本発明は、上記問題点を除去するようにした荷物受入装置及び荷物受入装置付きのド
アの開放方法を提供することを目的とする。
【課題を解決するための手段】
【０００６】
請求項１記載の荷物受入装置は、回動自在に設置されたドアと、このドアを貫通し、
荷物を入れる貫通孔と、前記ドアに回動自在に接続され、前記貫通孔を開閉する外側蓋体
と、前記外側蓋体の開閉を行う施錠手段と、前記貫通孔内に収納され、前記貫通孔の前記
ドアの内側に連通し、前記荷物を受け入れる袋体と、前記ドアの内側に位置すると共に、
前記ドアに回動自在に接続され、前記貫通孔を開閉する内側蓋体とを備え、前記袋体は、
折曲自在であり、前記施錠手段で施錠を解除して前記外側蓋体を開け、荷物を前記袋体内
へ入れると、前記荷物が前記袋体を介して前記内側蓋体に接触して前記内側蓋体を回動さ
せると共に、前記荷物が前記袋体内へ収納され、その後、前記外側蓋体を締めて、施錠す
ることができ、前記内側蓋体は、水平方向に上内側蓋体と下内側蓋体と二分割されている
ものである。
【０００７】
また、請求項２記載の荷物受入装置は、請求項１記載の荷物受入装置において、施錠
手段で施錠を解除して外側蓋体を開け、荷物を袋体内へ入れると、前記荷物が前記袋体を
介して前記内側蓋体に接触して前記内側蓋体を回動させると共に、前記荷物が前記袋体内
へ収納された場合、前記荷物を介して、前記袋体が上内側蓋体の自由端である先端及び下
内側蓋体の自由端である先端より飛び出しているものである。
【０００８】
また、請求項３記載の荷物受入装置付きのドアの開放方法は、回動自在に設置されたドアと、このドアを貫通し、荷物を入れる貫通孔と、前記ドアに回動自在に接続され、前記貫通孔を開閉する外側蓋体と、前記外側蓋体の開閉を行う施錠手段と、前記貫通孔内に収納され、前記貫通孔の前記ドアの内側に連通し、前記荷物を受け入れる折曲自在な袋体と、前記ドアの内側に位置すると共に、前記ドアに回動自在に接続され、前記貫通孔を開閉する水平方向に上内側蓋体と下内側蓋体と二分割された内側蓋体とを備えた荷物受入装置であって、前記施錠手段で施錠を解除して前記外側蓋体を開け、前記荷物を前記袋体内へ入れると、前記荷物が前記袋体を介して前記上内側蓋体と前記下内側蓋体に接触して前記上内側蓋体と前記下内側蓋体を回動させると共に、前記荷物が前記袋体内へ収納され、その後、前記外側蓋体を締めて、施錠することができ、その後、前記ドアを回動して、前記ドアを開けるものである。
【発明の効果】
【０００９】
請求項１記載の荷物受入装置によれば、内側蓋体は、水平方向に上内側蓋体と下内側
蓋体と二分割されているため、荷物を受け入れた状態で、ドアを開けて入った場合、開い
た上内側蓋体、下内側蓋体がドアの入口周縁部に接触する支障を防ぐと共に、開いた上内
側蓋体、下内側蓋体がドアの入口周縁部との間に人が通るペースを確保することもできる
。
【００１０】
また、請求項２記載の荷物受入装置によれば、上述した請求項１記載の発明の効果に
加え、荷物を介して、袋体が上内側蓋体の自由端である先端及び下内側蓋体の自由端であ
る先端より飛び出しているため、袋体内により大きい荷物を受け入れることができる。
求項１記載の発明の効果に加え、
【００１１】
また、請求項３記載の荷物受入装置付きのドアの開放方法によれば、内側蓋体は、水
平方向に上内側蓋体と下内側蓋体と二分割されているため、荷物を受け入れた状態で、ド
アを開けて入った場合、開いた上内側蓋体、下内側蓋体がドアの入口周縁部に接触する支
障を防ぐと共に、開いた上内側蓋体、下内側蓋体がドアの入口周縁部との間に人が通るペ
ースを確保することもできる。
【図面の簡単な説明】
【００１２】
【図１】図１は、本願発明の一実施例の荷物受入装置を室外から見た概略的正面図である。
【図２】図２は、図１のＡ−Ａ線による概略的断面図である。
【図３】図３は、図１の荷物受入装置を室内から見た概略的図である。
【図４】図４は、図１の荷物受入装置に荷物が受け入れられた状態の概略的断面図である。
【図５】図５は、図１の荷物受入装置のドアの開閉状態を平面的に見た概略的図で、ドアが閉まっている状態を示している。
【図６】図６は、図１の荷物受入装置のドアの開閉状態を平面的に見た概略的図で、ドアが開閉途中の状態を示している。
【図７】図７は、図１の荷物受入装置のドアの開閉状態を平面的に見た概略的図で、ドアが開いている状態を示している。
【発明を実施するための形態】
【００１３】
本発明の一実施例の荷物受入装置を図面（図１乃至図７）を参照して説明する。
図１に示すＰは荷物受入装置で、荷物受入装置Ｐは、宅配業者が鍵で施錠手段を解除
して外側蓋体を開け、荷物を袋体内へ入れ、その後、前記外側蓋体を締めて、施錠するた
め、留守の場合、荷物を安全に依頼先に届けることができるものである。
【００１４】
１は回動自在に設置されたドアで、このドア１には、ドア１を貫通し、荷物を入れる
貫通孔１ａ（図２参照）が設けられている。
また、図１に示す２は外側蓋体で、外側蓋体２は、ドア１の外側に位置する蓋体で、
ドア１に回動自在に接続され、貫通孔１ａを開閉するものである。外側蓋体２の開閉は、
施錠手段（例えば、電気の力で施錠・解錠を行う電子錠、遠隔操作による電気の力で施錠
・解錠を行う電子錠、金属の鍵等）３により行われる。
図２及び図４に示す４は、荷物を受け入れる袋体で、袋体４は、貫通孔１ａのドア１
の内側に連通するように、ドア１に取り付けられている。袋体４は、折曲自在なもの、例
えば、布製でも良いが、デュポン社が開発したアラミド繊維の一種である登録商標ケブラ
ー繊維で形成されているものが良い。
【００１５】
また、図３に示す５、５は内側蓋体で、内側蓋体５、５は、ドア１の内側に位置する
と共に、ドア１に回動自在に接続され、貫通孔１ａを開閉するものである。この内側蓋体
５、５は、図３及び図４に示すように、水平方向に上内側蓋体５と下内側蓋体５と二分割
されている。
また、ドア１に袋体４を収納する袋体収納部１Ｘ（貫通孔１ａ）が形成され、この袋
体収納部１Ｘに収納された袋体４を覆う内側蓋体５、５がドア１に回動自在に取り付けら
れている。
そのため、袋体４が使用されないときは、袋体４が内側蓋体５、５により室内側に飛
び出さないように覆い（図３参照）、ドア１の表面と外側蓋体２の表面とが同面であり、
ドア１の裏面と内側蓋体５、５の表面とが同面である。
つまり、袋体４が邪魔とならないようにして、使用勝手の良好な荷物受入装置Ｐを得
ることができる。
また、袋体４が上内側蓋体５の自由端である先端５１及び下内側蓋体５の自由端であ
る先端５１より飛び出さないようにしても良いが、望ましくは、図４に示すように、荷物
（図示せず）を介して、袋体４が上内側蓋体５の自由端である先端５１及び下内側蓋体５
の自由端である先端５１より飛び出している。そのため、袋体４内により大きい荷物（図
示せず）を受け入れることができる。
【００１６】
従って、例えば、宅配業者が施錠手段３で施錠を解除して外側蓋体２を開け、荷物（
図示せず）を袋体４内へ入れると、荷物（図示せず）が袋体４を介して内側蓋体５、５に
接触して内側蓋体５、５を回動させると共に、荷物（図示せず）が袋体４内へ収納され、
その後、外側蓋体２を締めて、施錠することができる。その後、室内から（又は、帰宅者
がドア１を外側から回動し）、ドア１を開けることができる。
この荷物受入装置（荷物受入装置付きのドアの開放方法）Ｐによれば、内側蓋体５、
５は、水平方向に上内側蓋体５と下内側蓋体５と二分割されているため、図５〜図７（特
に、図６及び図７参照）に示すように、荷物（図示せず）を受け入れた状態で、ドア１を
開けて入った場合、開いた上内側蓋体５、下内側蓋体５がドア１の入口周縁部Ｙに接触す
る支障を防ぐと共に、開いた上内側蓋体５、下内側蓋体５がドア１の入口周縁部Ｙとの間
に人が通るペースを確保することもできる。
なお、特に、袋体４は折曲自在で、例えば、図２に示すように、袋体４を折り曲げ等
してコンパクトにして、従来のような突出物による怪我を防いで、使用勝手の良好な荷物
受入装置Ｐを得ることができ、しかも、宅配業者が施錠を解除して外側蓋体２を開けても
、内側蓋体５により遮蔽され、本体１を介して室内を見ることができず、防犯効果をも有
する。
また、ドア１に貫通孔１ａを形成するが、貫通孔１ａは外側蓋体２と内側蓋体５によ
りサンドイッチ状に構成されるため、外側蓋体２と内側蓋体５は、断熱及び防音効果をも
有する（図２参照）。
【００１７】
袋体４内の荷物（図示せず）を取り出すときには、施錠手段３で施錠を解除して外側
蓋体２を開け、荷物（図示せず）を袋体４内から取り出すことができる。
そのため、袋体４内の荷物（図示せず）が障害とならず、ドア１の開閉に伴う支障を
も防ぐことができる。
【００１８】
袋体４は、袋状に閉じられていれば良いが、望ましくは、開閉ファスナを介して袋状
に閉じられ、開閉ファスナの取っ手４１が袋体４の外側に位置しているのが良い。
開閉ファスナの取っ手４１が袋体４の外側に位置している場合、荷物（図示せず）を
袋体４内から取り出す際には、取っ手４１をドア１の室内に位置する人が把持して袋体４
の一部を開けて開口部を形成し、形成後、荷物（図示せず）を前記開口部から取り出すた
め、外に出ないで、しかも、宅配業者に接触しないで、荷物（図示せず）を袋体４内から
取り出すことができ、加えて、荷物（図示せず）の収納部が袋体４となっているため、袋
体４が人が入る大きに形成されていても、宅配業者のドア１内への侵入を阻止することが
できる。
なお、開閉ファスナは、左右対になった一組の間でスライダー４２を動かすことで、
左右の務歯４３同士が順に組み合わさっていき、自在に開閉できる構造になっている。務
歯４３は、例えば、逆Ｕ字状に形成されている。
【００１９】
上述した実施例においては、荷物（図示せず）を袋体４内から取り出す際には、取っ
手４１をドア１の室内に位置する人が把持して袋体４の一部を開けて開口部を形成し、形
成後、荷物（図示せず）を前記開口部から取り出すようにしたが、本願発明にあっては、
これに限らず、施錠手段３で施錠を解除して外側蓋体２を開け、荷物（図示せず）を袋体
４内から取り出すようにしても良い。
【００２０】
また、袋体４の奥行き寸法Ｌが袋体４の入口側の縦寸法Ｎ及び横寸法Ｍより長く形成
されている。袋体４内により多く荷物（図示せず）を、または、より大きい荷物（図示せ
ず）を受け入れるためである。
【００２１】
また、内側蓋体５は、図５〜図７に示すように、水平方向に回動し、通常は、袋体４
を折曲し、袋体収納部１Ｘ内に収納し（図２）、内側蓋体５に設けた図示しない磁性体（
例えば、鉄）とこの図示しない磁性体（例えば、鉄）が当接するドア１の部位に設けた図
示しない磁石で吸着し、図２の収納状態を保持するようにしている。
なお、９０度倒した内側蓋体５と床面との高さＨ（図２参照）は、床面に載置された履き物（図示せず）の高さより高くして、９０度倒した内側蓋体５が履き物（図示せず）に当たらないようにしている。
【００２２】
なお、図４に示す７は、折りたたみ自在な下内側蓋体５を支持する下支持部材であり
、７’は、折りたたみ自在な上内側蓋体５を支持する上支持部材である。
【符号の説明】
【００２３】
Ｐ        荷物受入装置
１        ドア
１ａ      貫通孔
２        外側蓋体
３        施錠手段
４        袋体
５        内側蓋体
【要約】      （修正有）【課題】使用勝手を向上させた荷物受入装置を提供する。【解決手段】荷物受入装置Ｐは、回動自在に設置されたドア１と、このドア１を貫通し、荷物を入れる貫通孔と、ドア１に回動自在に接続され、貫通孔を開閉する外側蓋体２と、外側蓋体２の開閉を行う施錠手段と、貫通孔内に収納され、貫通孔のドア１の内側に連通し、前記荷物を受け入れる袋体と、ドア１の内側に位置すると共に、ドア１に回動自在に接続され、貫通孔を開閉する内側蓋体５とを備え、袋体は、折曲自在であり、施錠手段で施錠を解除して外側蓋体２を開け、荷物を袋体内へ入れると、前記荷物が袋体を介して内側蓋体５に接触して内側蓋体５を回動させると共に、前記荷物が袋体内へ収納され、その後、外側蓋体２を締めて、施錠することができ、内側蓋体５は、水平方向に上内側蓋体５と下内側蓋体５と二分割されているものである。【選択図】図６【図１】
0006901804.tif 000002
【図２】
0006901804.tif 000003
【図３】
0006901804.tif 000004
【図４】
0006901804.tif 000005
【図５】
0006901804.tif 000006
【図６】
0006901804.tif 000007
【図７】
0006901804.tif 000008